(57)【要約】【課題】  サーバからダウンロードした交通情報と、予め記憶されている交通情報とを、使い勝手よく表示する。【解決手段】  ナビゲーション装置は、サーバ装置からダウンロードした予測交通情報と、記憶装置に記憶されている統計交通情報とを、同一画面に表示する。両情報を、少なくとも一部が重なるように表示（重畳表示）してもよい。予測交通情報が統計交通情報より上になるように重ねてもよい。同一の対象（リンク、メッシュ領域）の同一時間帯の交通情報が、両方の情報に存在する場合、いずれか一方を選択して表示してもよい。【選択図】図１
2006214853.tif 000002
【特許請求の範囲】
【請求項１】
ナビゲーション装置であって、
注目時間帯を設定する手段と、
前記注目時間帯の規制情報を入手する入手手段と、
前記注目時間帯の渋滞情報を入手する入手手段と、
入手した規制情報と渋滞情報とを同一画面に表示する手段と
を有することを特徴とするナビゲーション装置。
【請求項２】
ナビゲーション装置であって、
道路の規制時間を含む規制情報を入手する手段と、
時間帯ごとの渋滞情報を入手する手段と、
注目時間帯を設定する手段と、
前記規制情報の中から前記注目時間帯内に規制時間がある規制情報を抽出する手段と
前記渋滞情報の中から前記注目時間帯の渋滞情報を抽出する手段と、
抽出した規制情報と渋滞情報とを表示する表示手段と
を有することを特徴とするナビゲーション装置。
【請求項３】
請求項２において、
前記表示手段は、同一の道路について規制情報と渋滞情報とが抽出された場合、いずれか一方を選択し、その道路について、選択した情報を表示する
ことを特徴とするナビゲーション装置。
【請求項４】
請求項２において、
前記表示手段は、同一の道路について規制情報と渋滞情報とが抽出された場合、その道路について、規制情報を表示する
ことを特徴とするナビゲーション装置。
【請求項５】
請求項２において、
前記表示手段は、同一の道路について規制情報と渋滞情報とが抽出された場合で、その規制情報がその道路を通行できないことを示す情報の場合、その道路について、規制情報を表示し、渋滞情報を表示しない
ことを特徴とするナビゲーション装置。
【請求項６】
請求項１〜５のいずれか一項において、
前記規制情報は、
交通情報を配信するサーバ装置からダウンロード若しくは受信した規制情報または前記ナビゲーション装置の記憶装置に予め記憶している規制情報であり、
前記渋滞情報は、
前記サーバ装置からダウンロードした渋滞情報または前記ナビゲーション装置の記憶装置に予め記憶している渋滞情報である
ことを特徴とするナビゲーション装置。
【請求項７】
請求項６において、
同一の道路について、前記サーバ装置から受信した規制情報と予め記憶装置に記憶した規制情報とがある場合、前記サーバ装置から受信した規制情報を表示する
ことを特徴とするナビゲーション装置。
【請求項８】
請求項１〜７のいずれか一項において、
営業時間を含む駐車場情報を入手する手段を有し、
前記表示装置は、前記駐車情報を用いて、前記注目時間帯において営業している駐車場を表示する
ことを特徴とするナビゲーション装置。
【請求項９】
請求項１〜８のいずれか一項において、
前記注目時間帯の設定のための時間の選択肢を表示する手段を有し、
前記選択肢は、現在時刻に近いほど、選択肢同士の時間の間隔が狭い
ことを特徴とするナビゲーション装置。
【請求項１０】
ナビゲーション装置であって、
注目時間帯を設定する手段と、
現在時刻における規制情報を入手する手段と、
注目時間帯における渋滞情報を入手する手段と、
入手した規制情報と渋滞情報とを同一画面に表示する表示手段と
ことを特徴とするナビゲーション装置。
【請求項１１】
請求項１０において、
前記表示手段は、
現在時刻と注目時間帯との差が予め定めた値未満の場合、
入手した規制情報と渋滞情報とを同一画面に表示する
ことを特徴とするナビゲーション装置。
【請求項１２】
請求項１０または１１において、
前記渋滞情報は、
交通情報を配信するサーバ装置からダウンロード若しくは受信した情報または前記ナビゲーション装置の記憶装置に予め記憶されている情報である
ことを特徴とするナビゲーション装置。
【請求項１３】
請求項１〜１２のいずれ一項において、
前記表示手段は、
現在の交通情報の表示から、現在以降の交通情報である予測渋滞情報の表示に切り替わったとき、規制情報を表示しない
ことを特徴とするナビゲーション装置。
【請求項１４】
請求項１〜１３のいずれ一項において、
前記表示手段は、
前記規制情報の表示にカーソルが合わせられたとき、規制の詳細を表示する
ことを特徴とするナビゲーション装置。
【発明の詳細な説明】
【技術分野】
【０００１】
本発明は、ナビゲーション装置に関し、特に車載用ナビゲーション装置の交通情報の表示方法に関する。
【背景技術】
【０００２】
渋滞情報を表示する車載用ナビゲーション装置や、通行止め、速度規制などの規制情報を表示する車載用ナビゲーション装置がある（非特許文献１参照）。
【０００３】
【非特許文献１】特許庁、標準技術集「カーナビゲーション装置のユーザインターフェイス」主分類：１−Ｃ−３  渋滞箇所表示
【発明の開示】
【発明が解決しようとする課題】
【０００４】
しかし、入手した渋滞情報と規制情報とを単に画面に表示するのでは、表示される情報で表示画面が混雑し、見にくいものとなり、使い勝手が悪くなる。
【０００５】
本発明の目的は、渋滞情報と規制情報とを、使い勝手よく表示する技術を提供することにある。
【課題を解決するための手段】
【０００６】
上記課題を解決すべく本発明のナビゲーション装置は、注目時間帯を設定する手段と、前記注目時間帯の規制情報を入手する入手手段と、前記注目時間帯の渋滞情報を入手する入手手段と、入手した規制情報と渋滞情報とを同一画面に表示する手段とを有する。
【０００７】
前記ナビゲーション装置は、前記規制情報の中から前記注目時間帯内に規制時間がある規制情報を抽出する手段と、前記渋滞情報の中から前記注目時間帯の渋滞情報を抽出する手段を有していても良い。
【０００８】
また、ナビゲーション装置は、注目時間帯を設定する手段と、現在時刻における規制情報を入手する手段と、注目時間帯における渋滞情報を入手する手段と、入手した規制情報と渋滞情報とを同一画面に表示する表示手段とを有するようにしてもよい。
【０００９】
前記規制情報は、交通情報を配信するサーバ装置からダウンロードした規制情報または前記ナビゲーション装置の記憶装置に予め記憶している規制情報であるようにしてもよい。前記渋滞情報は、前記サーバ装置からダウンロードした渋滞情報（現在の交通情報と過去の交通情報とから生成した現在以降の予測渋滞情報）または前記ナビゲーション装置の記憶装置に予め記憶している渋滞情報（過去の交通情報を統計処理して生成した渋滞情報）であるようにしてもよい。
【発明を実施するための最良の形態】
【００１０】
以下に、本発明の一実施形態について、図面を参照して説明する。
【００１１】
図１は、本発明の一実施形態にかかるナビゲーションシステムの概略構成図である。図示するように、本実施形態のナビゲーションシステムは、車載用ナビゲーション装置１００と、交通情報配信サーバ２００とを有する。車載用ナビゲーション装置１００と交通情報配信サーバ２００とは、無線基地局（不図示）とネットワーク４００を介して接続される。また、交通情報配信サーバ２００からの交通情報は、ＦＭ多重放送局２０１、ビーコン２０２によっても車載用ナビゲーション装置１００に送信される。
【００１２】
交通情報配信サーバ２００は、車載用ナビゲーション装置１００に交通情報を配信するサーバ装置である。交通情報配信サーバ２００は、自身の記憶装置に、リアルタイム予測交通情報２１０とリアルタイム規制情報２２０とを保持する。
【００１３】
リアルタイム予測交通情報２１０は、現在以降の未来の交通情報であり、過去の交通情報と現在の交通情報から生成され、随時更新されていく。すなわち、リアルタイム予測交通情報２１０は、動的な交通情報であるといえる。
【００１４】
図２は、リアルタイム予測交通情報２１０の構成例である。リアルタイム予測交通情報２１０は、各リンクの、時間帯ごとの旅行時間等を含む。すなわち、地図上の領域を区分けしたメッシュ領域の識別コード（メッシュＩＤ）２１１ごとに、道路を構成するリンクの識別コード（リンクＩＤ）２１２と、時間帯２１３と、そのリンクの旅行時間２１４と、渋滞度２１５を含んでいる。
【００１５】
このような予測交通情報は、現在の交通情報と、過去に収集された交通情報に基づいて生成することができ、随時更新されるものである。図３に、リアルタイム予測交通情報の生成方法の例を示す。
【００１６】
図３において、符号４１は、過去に収集された交通情報から求められた、あるリンクの旅行時間Ｔｄの経時変化を示す。符号４２は、現在の交通情報から求められた、そのリンクの旅行時間Ｔｄ’の経時変化を示す。現在時刻をｔとする。
【００１７】
まず、現在の交通情報から求められたリンク旅行時間Ｔｄ’４２と過去のリンク旅行時間Ｔｄ４１との差分４３を、所定時刻間隔ごとに求める。そして、求めた差分の平均４４を求める。時刻（ｔ＋ｎ）における予測旅行時間Ｔｄ’（ｔ＋ｎ）は、
Ｔｄ（ｔ＋ｎ）＋（差分の平均）  により求めることができる。
【００１８】
リアルタイム規制情報２２０は、現在および現在以降における規制情報である。リアルタイム規制情報は、随時更新されていく。すなわち、リアルタイム規制情報２２０は、動的な規制情報であるといえる。
【００１９】
図４は、リアルタイム規制情報２２０の構成例である。リアルタイム規制情報２２１は、１レコードごとに、規制の種類２２１、規制の日時範囲（時間帯）２２２、規制の詳細２２３、規制の原因２２４、規制の対象となるリンクのリンクＩＤ２２５を含む。
【００２０】
規制の種類２２１としては、例えば、通行止め、右左折規制、速度規制、車線規制、片側規制、チェーン規制、オンランプ規制、大型通行止め、移動規制、オフランプ規制などがある。
【００２１】
なお、交通情報配信サーバ２００は、現況交通情報を配信するものであってもよい。
【００２２】
図５は、車載用ナビゲーション装置１００の概略構成図である。図示するように、車載用ナビゲーション装置１００は、演算処理部１と、ディスプレイ２と、記憶装置３と、音声入出力装置４と、入力装置５と、車輪速センサ６と、地磁気センサ７と、ジャイロセンサ８と、ＧＰＳ(Global Positioning System)受信装置９と、車内ＬＡＮ装置１１と、ＦＭ多重放送受信装置１２と、ビーコン受信装置１３と、ネットワーク通信装置１４とを有する。
【００２３】
演算処理部１は、様々な処理を行う中心的ユニットである。例えば各種センサ６〜８やＧＰＳ受信装置９から出力される情報を基にして現在地を検出する。また、得られた現在地情報に基づいて、表示に必要な地図データを記憶装置３から読み出す。また、読み出した地図データをグラフィックス展開し、そこに現在地を示すマークを重ねてディスプレイ２へ表示する。また、記憶装置３に記憶されている地図データおよび交通情報配信サーバ２００から受信した時系列交通情報を用いて、ユーザから指示された目的地と現在地（出発地）とを結ぶ最適な経路（推奨経路）を探索する。また、音声入出力装置４やディスプレイ２を用いてユーザを誘導する。
【００２４】
ディスプレイ２は、演算処理部１で生成されたグラフィックス情報を表示するユニットである。ディスプレイ２は、ＣＲＴや液晶ディスプレイなどで構成される。演算処理部１とディスプレイ２との間の信号Ｓ１は、ＲＧＢ信号やＮＴＳＣ（National Television System Committee）信号で接続するのが一般的である。
【００２５】
記憶装置３は、ＣＤ-ＲＯＭやＤＶＤ-ＲＯＭやＨＤＤやＩＣカードといった記憶媒体で構成されている。この記憶媒体には、地図データ３１０、統計交通情報３２０、規制情報３３０が記憶されている。
【００２６】
図６は、地図データ３１０の構成を示す図である。地図データ３１０は、メッシュＩＤ３１１ごとに、そのメッシュ領域に含まれる道路を構成する各リンクのリンクデータ３１２を含む。
【００２７】
リンクデータ３１２は、リンクＩＤ３１２１ごとに、リンクを構成する２つのノード（開始ノード、終了ノード）の座標情報３１２２、リンクを含む道路の種別情報３１２３、リンクの長さを示すリンク長情報３１２４、２つのノードにそれぞれ接続するリンクのリンクＩＤ（接続リンクＩＤ）３１２６などを含む。なお、ここでは、リンクを構成する２つのノードについて開始ノードと終了ノードとを区別することで、同じ道路の上り方向と下り方向とを、それぞれ別のリンクとして管理するようにしている。また、地図データ３１０には、対応するメッシュ領域に含まれている道路以外の地図構成物の情報（名称、種別、座標情報など）も含まれている。
【００２８】
図７は、記憶装置３に予め記憶されている統計交通情報３２０の構成例を示す。統計交通情報３２０は、過去の交通情報から統計処理により生成されたものであり、静的な交通情報であるといえる。
【００２９】
統計交通情報３２０は、図示するように、上述のメッシュ領域毎に記憶されている。統計交通情報３２０は、メッシュ領域のメッシュＩＤ３２１、および、そのメッシュ領域に含まれる道路を構成する各リンクの交通情報統計値（過去に収集された交通情報の統計値）を管理するための管理データ３２２を有する。メッシュＩＤ３２１は、地図データ３１０のメッシュＩＤ３１１と同じものを用いている。管理データ３２２は、階層構造を有する複数のテーブル３２２１〜３２２３で構成されている。
【００３０】
テーブル３２２１は、日の種類を登録するテーブルである。日の種類は、交通情報統計値が異なる傾向を示す単位毎に定めるとよい。ここでは、日の種類として、休日前の平日「平日（休日前）」、休日明けの平日「平日（休日後）」、盆、正月などといった特異日前の平日「平日（特異日前）」、特異日明けの平日「平日（特異日後）」、その他の平日「平日（一般）」、特異日の初日「休日（特異日初め）」、特異日の終日「休日（特異日終り）」、その他の休日「休日（一般）」を含めている。
【００３１】
テーブル３２２２は、メッシュＩＤ３２１により登録されるメッシュ領域に含まれる道路を構成する各リンクのリンクＩＤを登録するためのテーブルであり、テーブル３２２１に登録されている日の種類毎に設けられている。リンクＩＤは、地図データ３１０のリンクＩＤ３１２１と同じものを用いている。
【００３２】
テーブル３２２３は、時間帯毎の交通情報統計値を登録するためのテーブルであり、テーブル３２２２に登録されているリンクＩＤ毎に設けられている。時間帯毎の交通情報統計値は、これらの元となる複数の交通情報により特定されるリンク旅行時間、および、リンク渋滞度を含んでいる。また、時間帯毎の交通情報統計値は、これらの元となる交通情報の収集条件（元となる交通情報が収集された日の種類）と対象リンクとによって分類される。つまり、あるテーブル３２２３に登録されている時間帯毎の交通情報統計値の対象リンクは、このテーブル３２２３に対応付けられているテーブル３２２２のリンクＩＤにより特定されるリンクであり、これらの統計値の元となる交通情報は、このリンクＩＤが登録されているテーブル３２２２に対応付けられているテーブル３２２１の日の種類により特定される日に収集された交通情報である。
【００３３】
図８は、記憶装置３に記憶されている規制情報３３０の構成を示す図である。前述のリアルタイム規制情報２２０が、車両事故や災害など、予期せぬ事態の発生により定められた規制情報を含むのに対して、記憶装置３に予め記憶されている規制情報３３０は、冬季通行止めや、例年行われるマラソンや祭礼などによる、予定された規制情報を含む。すなわち、記憶装置３に予め記憶されている規制情報３３０は、静的な規制情報であるといえる。
【００３４】
規制情報３３０は、１レコードごとに、規制の種類３３１、規制の日時範囲（時間帯）３３２、規制の詳細３３３、規制の原因３３４、規制の対象となるリンクのリンクＩＤ３３５を含む。規制の種類３３１としては、例えば、通行止め、右左折規制、速度規制、車線規制、片側規制、チェーン規制、オンランプ規制、大型通行止め、移動規制、オフランプ規制などがある。
【００３５】
図５に戻って説明する。音声入出力装置４は、演算処理部１で生成したユーザへのメッセージを音声信号に変換し出力する。また、ユーザが発した声を認識し演算処理部１にその内容を転送する処理を行う。
【００３６】
入力装置５は、ユーザからの指示を受け付けるユニットである。入力装置５は、スクロールキー、縮尺変更キーなどのハードスイッチ、ジョイスティック、ディスプレイ上に貼られたタッチパネルなどで構成される。
【００３７】
センサ６〜８およびＧＰＳ受信装置９は、車載用ナビゲーション装置１００で現在地（自車位置）を検出するために使用されるものである。車輪速センサ６は、車輪の円周と計測される車輪の回転数の積から距離を測定し、さらに対となる車輪の回転数の差から移動体が曲がった角度を計測する。地磁気センサ７は、地球が保持している磁場を検知し、移動体が向いている方角を検出する。ジャイロ８は、光ファイバジャイロや振動ジャイロ等で構成され、移動体が回転した角度を検出するものである。ＧＰＳ受信装置９は、ＧＰＳ衛星からの信号を受信し移動体とＧＰＳ衛星間の距離と距離の変化率を３個以上の衛星に対して測定することで移動体の現在位置、進行速度および進行方位を測定する。
【００３８】
車内ＬＡＮ装置１１は、車載用ナビゲーション装置１００が搭載された車両の様々な情報、例えばドアの開閉情報、ライトの点灯状態情報、エンジンの状況や故障診断結果などを受ける。
【００３９】
ＦＭ多重放送受信装置１２は、ＦＭ多重放送信号としてＦＭ多重放送局から送られてくる概略現況交通情報、リアルタイム規制情報、ＳＡ／ＰＡ（サービスステーション／パーキング）情報、駐車場情報、天気情報などを受信する。
【００４０】
ビーコン受信装置１３は、ビーコンから送られてくるリンク旅行時間を含む現況交通情報、リアルタイム規制情報、ＳＡ／ＰＡ情報、駐車場情報などを受信する。
【００４１】
ネットワーク通信装置１４は、車載用ナビゲーション装置１００と、交通情報配信サーバ２００との間の情報の授受を仲介する。また、定期的あるいは経路探索の際に、交通情報配信サーバ２００にアクセスし、リアルタイム予測交通情報や、リアルタイム規制情報や、現況交通情報を受信する。
【００４２】
図９は、演算処理部１の機能構成を示す図である。
【００４３】
図示するように、演算処理部１は、ユーザ操作解析部４１と、経路探索部４２と、経路記憶部４３と、経路誘導部４４と、現在位置算出部４６と、表示処理部４５、通信処理部４７と、受信情報記憶部４８とを有する。
【００４４】
現在位置算出部４６は、車輪速センサ６で計測される距離パルスデータＳ５およびジャイロ８で計測される角加速度データＳ７を各々積分した結果得られる距離データおよび角度データを用い、そのデータを時間軸で積分していくことにより、初期位置（Ｘ，Ｙ）から自車走行後の位置である現在地（Ｘ′，Ｙ′）を定期的に演算する。また、演算結果を用いて、マップマッチ処理することにより、形状の相関が最も高い道路（リンク）上に、現在地を合わせ込む。
【００４５】
ユーザ操作解析部４１は、入力装置５に入力されたユーザからの要求を受け、その要求内容を解析して、その要求内容に対応する処理が実行されるように演算処理部１の各部を制御する。例えば、ユーザが推奨経路の探索を要求したときは、目的地を設定するため、地図をディスプレイ２に表示する処理を表示処理部４５に要求する。また、現在地（出発地）から目的地までの経路を演算する処理を経路探索部４２に要求する。
【００４６】
経路探索部４２は、ダイクストラ法等を用いて、指定された２地点（現在地、目的地）間を結ぶ経路のコスト（例えば、旅行時間）が最少となる経路を探索する。経路記憶部４３は、経路探索部４２で探索された経路の情報を記憶する。
【００４７】
経路誘導部４４は、経路探索部４２で探索された経路を用いて経路誘導を行う。例えば、経路の情報と、現在地の情報とを比較し、交差点等を通過する前に直進すべきか、右左折すべきかを音声出入力装置４を用いて音声でユーザに知らせる。また、経路誘導部４４は、ディスプレイ２に表示された地図上に進行すべき方向を表示して、ユーザに推奨経路を通知する。
【００４８】
表示処理部４５は、ディスプレイ２への表示が要求される領域にある地図データを記憶装置３から受け取り、指定された縮尺、描画方式で、道路、その他の地図構成物や、現在地、目的地、誘導経路のための矢印といったマークを描画するように地図描画コマンドを生成する。そして、生成したコマンドを、ディスプレイ２に送信する。
【００４９】
通信処理部４７は、予測交通情報等のダウンロード要求を受け付けると、ネットワーク通信装置１４を介して、交通情報配信サーバ２００に接続し、リアルタイム予測交通情報、リアルタイム規制情報、現況交通情報などのダウンロードを要求する。そして、ダウンロードした情報を受信情報記憶部４８に記憶させる。
【００５０】
また、通信処理部４７は、ＦＭ多重放送局２０１やビーコン２０２から受信したリアルタイム予測交通情報、リアルタイム規制情報、現況交通情報などを受信情報記憶部４８に記憶させる。なお、記憶装置３が、書換え可能なＨＤＤ、フラッシュＲＯＭなどで構成される場合は、通信処理部４７は、受信した情報を、記憶装置３に記憶させるようにしてもよい。
【００５１】
図１０は、演算処理部１のハードウェア構成例を示す図である。
【００５２】
図示するように、演算処理部１は、各デバイス間をバス３２で接続した構成としてある。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、メモリ間およびメモリと各デバイスとの間のデータ転送を実行するＤＭＡ（Direct Memory Access）２４と、グラフィックス描画を実行し且つ表示制御を行う描画コントローラ２５と、グラフィックスイメージデータを蓄えるＶＲＡＭ(Video Random Access Memory)２６と、イメージデータをＲＧＢ信号に変換するカラーパレット２７と、アナログ信号をデジタル信号に変換するＡ/Ｄ変換器２８と、シリアル信号をバスに同期したパラレル信号に変換するＳＣＩ(Serial Communication Interface)２９と、パラレル信号をバスに同期させてバス上にのせるＰＩＯ(Parallel Input/Output)３０と、パルス信号を積分するカウンタ３１と、を有する。
【００５３】
［動作の説明］次に、車載用ナビゲーション装置１００の動作について説明する。
【００５４】
図１１は、車載用ナビゲーション装置１００の交通情報の表示処理のフロー図である。このフローは、ユーザ操作解析部４１が、ユーザから入力装置５を介して、渋滞情報などの交通情報の表示の要求を受け付けたときに開始される。
【００５５】
まず、ユーザ操作解析部４１は、表示する交通情報の時間帯（「注目時間帯」という）を設定する（Ｓ１００）。ユーザ操作解析部４１は、ユーザから入力装置５を介して、時間帯が指定された場合は、その時間帯を、注目時間帯とする。指定を受け付けなかった場合は、現在時刻の属する時間帯を、注目時間帯とする。また、経路探索のために、出発時刻が設定されている場合は、出発時刻の属する時間帯を、注目時間帯とする。
【００５６】
図１２は、注目時間帯の設定画面の表示例である。表示画面５２０には、表示する交通情報の時間帯を選択する選択肢５２１が表示されており、いずれかの時間帯を入力装置５を介して選択できるようになっている。
【００５７】
つぎに、ユーザ操作解析部４１は、交通情報を表示する対象のメッシュ領域を設定する（Ｓ２００）。ユーザ操作解析部４１は、現在位置の周辺（例えば、２０ｋｍ以内）のメッシュを対象のメッシュとする。または、経路探索がされている場合は、経路上のリンクを含むメッシュを、交通情報を表示する対象のメッシュとする。
【００５８】
つぎに、通信処理部４７は、ネットワーク通信装置１４を介して、交通情報配信サーバ２００に、リアルタイム予測交通情報およびリアルタイム規制情報の送信を要求する。このとき、Ｓ１００で設定された注目時間帯に関し、かつ、Ｓ２００で設定された対象（メッシュ）に関するリアルタイム予測交通情報およびリアルタイム規制情報を送信するように要求する。
【００５９】
これを受けて、交通情報配信サーバ２００は、指定された注目時間帯で、かつ指定されたメッシュに関するリアルタイム交通情報を、自身の記憶装置に記憶するリアルタイム予測交通情報２１０から抽出する。また、指定された注目時間帯で、かつ指定されたメッシュに含まれるリンクに関するリアルタイム規制情報を、自身の記憶装置に記憶するリアルタイム規制情報２２０から抽出する。なお、どのリンクがどのメッシュに属するかは、自身の記憶装置に記憶された地図データから判断する。そして、交通情報配信サーバ２００は、抽出したリアルタイム予測交通情報とリアルタイム規制情報とを、車載用ナビゲーション装置１００に送信する。
【００６０】
通信処理部４７は、ダウンロードしたリアルタイム予測交通情報とリアルタイム規制情報とを、受信情報記憶部４８に記憶させる（Ｓ３００）。
【００６１】
つぎに、表示処理部４５は、ダウンロードしたリアルタイム規制情報及びリアルタイム予測交通情報と、予め記憶装置３に記憶されている規制情報及び統計交通情報とを用いて、ディスプレイ２に交通情報の表示を行う（Ｓ４００）。なお、ここでは、Ｓ２００で設定された対象のメッシュについて、渋滞度と規制情報を表示する場合について説明するが、渋滞度の代わりに旅行時間を表示するようにしてもよい。
【００６２】
図１３は、表示処理の流れを示すフロー図である。
【００６３】
表示処理部４５は、交通情報の表示対象であるリンクごとに、図１２で示した処理を行う。
【００６４】
表示処理部４５は、ディスプレイ２に表示される範囲のメッシュの中のリンク（「対象リンク」という）について、リンクごとに、ダウンロードしたリアルタイム規制情報があるか否か判定し、ある場合、その規制情報を表示する。
【００６５】
具体的には、ダウンロードしたリアルタイム規制情報の中に、対象リンクに関し、かつ、Ｓ１００で設定した注目時間帯に関するリアルタイム規制情報があるか否か調べる。すなわち、リアルタイム規制情報のレコードの日時２２２が、注目時間帯に属し、かつ、規制対象のリンクＩＤ２２５に対象リンクが含まれるレコードがあるか否かを調べる。そして、そのようなレコードがあった場合、規制の種類２２１を、対象リンクについて表示する（Ｓ４２０）。そのようなレコードがない場合、そのまま次の処理のＳ４４２に移行する。
【００６６】
つぎに、表示処理部４５は、Ｓ４２０において、リアルタイム規制情報（規制の種類）を表示したか否か判定する（Ｓ４４２）。
【００６７】
リアルタイム規制情報を表示していない場合（Ｓ４４２でＮｏ）、表示処理部４５は、ダウンロードしたリアルタイム予測交通情報があるか調べ、ある場合、それを表示する。
【００６８】
具体的には、リアルタイム予測交通情報のレコードの時間帯２１３が、注目時間帯に属し、かつ、リンクＩＤ２１２が対象リンクのリンクＩＤであるレコードがあるか否かを調べる。そして、そのようなレコードがあった場合、渋滞度２１５を、対象リンクについて表示する（Ｓ４４６）。そのようなレコードがない場合、そのまま次の処理のＳ５４２に移行する。
【００６９】
一方、Ｓ４２０において、リアルタイム規制情報を表示した場合（Ｓ４４２でＹｅｓ）、表示処理部４５は、表示したリアルタイム規制情報が、完全に通行できないことを示すものでるか否か判定する（Ｓ４４４）。通行止めなど、完全に通行できない規制情報の場合（Ｓ４４４でＹｅｓ）、表示処理部４５は、リアルタイム予測交通情報を表示せずに（Ｓ４４８）、次の処理のＳ４５２に移行する。一方、速度規制や片側規制などのように、完全に通行できない規制情報ではない場合（Ｓ４４４でＮｏ）、表示処理部４５は、前述のＳ４４６の処理を行う。
【００７０】
次に、表示処理部４５は、Ｓ４２０でリアルタイム規制情報を表示したか、またはＳ４４６でリアルタイム予測交通情報を表示したか否かを判定する。いずれも表示していない場合（Ｓ４５２でＮｏ）、表示処理部４５は、対象リンクについて、記憶装置３に予め記憶されている規制情報３３０あるか調べ、ある場合、それを表示する。
【００７１】
具体的には、記憶装置３に予め記憶されている規制情報３３０の中に、対象リンクに関し、かつ、Ｓ１００で設定した注目時間帯に関する規制情報があるか調べる。すなわち、規制情報３３０のレコードの日時３３２が、注目時間帯に属し、かつ、規制対象のリンクＩＤ３３５に対象リンクが含まれるレコードがあるか否かを調べる。そして、そのようなレコードがあった場合、規制の種類３３１を、対象リンクについて表示する（Ｓ４５６）。
【００７２】
一方、そのようなレコードがない場合や、Ｓ４２０またはＳ４４６で規制情報または予測交通情報を表示した場合（Ｓ４５２でＹｅｓ）、表示処理部４５は、そのまま次の処理のＳ４６２に移行する。
【００７３】
次に、表示処理部は、Ｓ４２０でリアルタイム規制情報を表示したか、Ｓ４４６でリアルタイム予測交通情報を表示したか、または、Ｓ４５６で規制情報を表示したか否かを判定する。いずれも表示していない場合（Ｓ４６２でＮｏ）、表示処理部４５は、対象リンクについて、記憶装置３に記憶されている統計交通情報３２０の渋滞度を表示する。
【００７４】
具体的には、記憶装置３に予め記憶されている統計交通情報３２０の中から、注目時間帯に相当する、日時３２２１、時間帯の統計値３２２３を取得し、その統計値に含まれる渋滞度を抽出し、その対象リンクの渋滞度として表示する（Ｓ４６６）。
【００７５】
一方、リアルタイム規制情報、リアルタイム予測交通情報または予め記憶されていた規制情報を表示している場合、表示処理部４５は、対象リンクを完全に通行できないとされているか否か判定する。通行止めの規制情報により、完全に通行できないとされている場合（Ｓ４６４でＹｅｓ）、表示処理部４５は、統計交通情報の渋滞度を表示せずに、表示処理を終了する。
【００７６】
一方、規制があった場合でも、時速規則や片側規制などであり、完全に通行できない規制でない場合、表示処理部４５は、前述のＳ４６６により統計交通情報の渋滞度を表示して、その対象リンクに関する表示処理を終了する。
【００７７】
以上、渋滞度および規制情報の表示処理について説明した。
【００７８】
図１４は、上記処理による表示画面の一例を示す。
【００７９】
図示するように、表示画面５３０には、地図５３２上に、注目時間帯５３７における渋滞度が、表示物（図中、矢印）５４１，５４２，５４３，５４４により示されている。渋滞度を示す矢印の向きは、車両の走行方向を示す。
【００８０】
表示処理部４５は、ダウンロードしたリアルタイム予測交通情報の渋滞度５４１，５４２と、統計交通情報の渋滞度５４３，５４４とを、異なる態様で表示する。例えば、色の濃淡で異ならせる。
【００８１】
表示処理部４５は、図１４の例では、ダウンロードしたリアルタイム交通情報の渋滞度（矢印）を、統計交通情報の渋滞度（矢印）に比べて濃い色で示している。また、渋滞度を、矢印の色の違いで示しており、渋滞度の高い順に、赤、黄、緑となっている。
【００８２】
また、図示するように、注目時間帯における規制情報５４５，５４６，５４７を表示している。規制情報は、交通標識のアイコンなどで表示してもよい。
【００８３】
表示処理部４５は、規制情報が通行止めなどの完全に通行できないことを示すものである場合（Ｓ４４４でＹｅｓ）、渋滞度は表示しない。すなわち、規制情報５４７の対象のリンクについては渋滞度が表示されていない。
【００８４】
表示処理部４５は、規制情報が通行止めなどの完全に通行できないことを示すものではない場合（Ｓ４４４でＮｏ）、渋滞度を表示する。すなわち、規制情報５４５の対象のリンクについては渋滞度５４１が表示されている。
【００８５】
また、表示処理部４５は、ダウンロードした規制情報や渋滞度が表示されている場合、予め記憶している規制情報や統計交通情報の渋滞度を表示しない。一方、ダウンロードした規制情報や渋滞度が表示されていない場合、予め記憶されている規制情報５４６と、統計交通情報の渋滞度５４４を表示する。
【００８６】
以上、本発明の一実施形態について説明した。
【００８７】
本実施形態によれば、同一の注目時間帯における渋滞情報と規制情報とが同一の画面上に表示される。すなわち、注目時間帯と関係のない規制情報は表示されない。したがって、表示される情報により画面が混雑しない。
【００８８】
また、完全に通行できないことを示す規制情報を表示する場合は、渋滞情報を表示しない。したがって、無意味な情報を表示するのを防止できる。
【００８９】
また、サーバ装置から受信した交通情報を、予め記憶している交通情報より、優先的に表示する。したがって、より信頼性のある交通情報が表示される。
【００９０】
上記実施形態は、様々な変形が可能である。
【００９１】
例えば、ダウンロードした規制情報と予め記憶されている規制情報がある場合、いずれか一方のみ表示するのではなく、異なる態様により両方とも表示してもよい。また、ダウンロードした規制情報の表示（例えば、アイコン）の少なくとも一部を、予め記憶されている規制情報の表示（例えばアイコン）より上に重ねて表示することにより、信頼性のある情報が分かるように表示してもよい。
【００９２】
また、表示処理部４５は、画面上のカーソルが、表示されている規制情報の上や周辺に合わされたときに、規制情報の詳細情報２２３，３３３を表示するようにしてもよい。図１５は、かかる場合の表示例を示す。カーソル５５２が規制情報５４５の近くに来たために、詳細情報５４５ｂが表示されている。
【００９３】
また、注目時間帯に営業中の駐車場を表示するようにしてもよい。車載用ナビゲーション装置１００は、記憶装置３に、駐車場ごとの位置情報と営業時間情報（駐車場情報）を保持する。駐車場情報は、予め記憶装置３に記憶されていてもよいし、交通情報配信サーバ２００から受信し、記憶装置３に記憶されるようにしてもよい。そして、表示処理部４５は、図１６に示すように、注目時間帯において営業している駐車場を、駐車場情報から抽出し、表示する。こうすれば、注目時間帯に営業している駐車場５４７のみ表示される。
【００９４】
なお、駐車場に限らず、時間によって開店、閉店する店（サービスステーションなど）の情報を車載用ナビゲーション装置１００が取得し、注目時間帯において、開店している店のみ表示するようにしてもよい。
【００９５】
また、注目時間帯の変更を次のようにして受け付けもよい。
【００９６】
図１７は、交通情報の表示中に、注目時間帯の変更要求を受け付けたときの表示画面の例である。表示処理部４５は、注目時間帯の指定画面５６０を表示する。このとき、いくつかの時刻の選択肢の中から指定を受け付けるようにする。さらに、選択肢となる時刻は、現在時刻に近いほど、キザミ（時間の間隔）を細かくする。現在時刻から離れるほど、キザミを大きくする。例えば、現在時刻から１時間内は、５分おきの時刻の選択肢を表示し、１〜３時間内では、１５分おきの時刻の選択肢を表示し、それ以上の時間では、１時間おきの時刻の選択肢を表示する。そして、これらの選択肢の中から、注目時間帯の指定を受け付ける。表示処理部４５は、指定された時刻から、例えば３０分内を、注目時間帯に設定する。
【００９７】
このようにすれば、現在時刻付近について、細かい設定ができ、使い勝手がよくなる。
【００９８】
また、上記実施形態では、注目時間帯における、渋滞情報と規制情報とを表示する構成について説明したが、これに限らず、渋滞情報については注目時間帯のものを表示し、規制情報については現在時刻におけるものを表示するようにしてもよい。図１８は、かかる場合の処理の流れを示す。
【００９９】
表示処理部４５は、現在時刻と注目時間帯（例えば、注目時間帯の真中の時刻）との差が予め定めた値（例えば、２時間）未満か否か判定する（Ｓ５１０）。
【０１００】
差が予め定めた値未満の場合、表示処理部４５は、現在時刻における規制情報と、注目時間帯における渋滞情報とを同じ画面の地図上に表示する。駐車場を表示する場合も、注目時間帯において営業中の駐車場を表示するようにする（Ｓ５１２）。すなわち、図１３で示した、Ｓ４２０〜Ｓ４６８の処理を行う。
【０１０１】
一方、現在時刻と注目時間帯との差が予め定めた値以上である場合（Ｓ５１０でＮｏ）、表示処理部４５は、注目時間帯の渋滞情報のみを表示する。規制情報は表示しない（Ｓ５１４）。すなわち、図１３で示した、Ｓ４２０〜Ｓ４６８の処理のうち、Ｓ４２０，Ｓ４５６の処理を行わない。
【０１０２】
このフローによれば、一定時間、交通規制が継続されることを考慮して、表示すべき渋滞情報と規制情報を選択して表示することができる。
【０１０３】
図１９は、かかる場合の表示例である。規制情報６４５，６４７，６４６は、現在時刻における規制情報である。渋滞情報５４１，５４２，５４３，５４４は、注目時間帯における渋滞情報である。
【０１０４】
また、表示処理部４５は、現在の交通情報である現況交通情報の表示から、現在以降の未来の交通情報（リアルタイム予測交通情報、統計交通情報）の表示に切り替わったとき、渋滞情報のみを表示するようにして、規制情報を表示しないようにしてもよい。
【０１０５】
なお、本発明を車載用ナビゲーション装置に適用した例について説明したが、本発明は車載用以外のナビゲーション装置にも適用することができる。
【図面の簡単な説明】
【０１０６】
【図１】図１は、本発明の実施形態にかかるナビゲーションシステムの概略構成図である。
【図２】図２は、リアルタイム予測交通情報の構成例である。
【図３】図３は、リアルタイム予測交通情報の生成方法を説明するための図である。
【図４】図４は、リアルタイム規制情報の構成例である。
【図５】図５は、車載用ナビゲーション装置１００の概略構成図である。
【図６】図６は、記憶装置３に記憶されている地図データの構成を示す図である。
【図７】図７は、記憶装置３に記憶されている統計交通情報の構成を示す図である。
【図８】図８は、記憶装置３に予め記憶されている規制情報の構成例である。
【図９】図９は、演算処理部１の機能構成を示す図である。
【図１０】図１０は、演算処理部１のハードウェア構成を示す図である。
【図１１】図１１は、車載用ナビゲーション装置１００の処理の概略を示すフロー図である。
【図１２】図１２は、注目時間帯の設定画面の表示例である。
【図１３】図１３は、図１１のＳ４００の表示処理のフロー図である。
【図１４】図１４は、交通情報の表示例である。
【図１５】図１５は、交通情報の表示例である。
【図１６】図１６は、交通情報の表示例である。
【図１７】図１７は、注目時間帯の設定画面の表示例である。
【図１８】図１８は、変形例にかかる表示処理のフロー図である。
【図１９】図１９は、変形例にかかる交通情報の表示例である。
【符号の説明】
【０１０７】
１００…車載用ナビゲーション装置、２００…交通情報配信サーバ、４００…ネットワーク、
１…演算処理部、２…ディスプレイ、３…記憶装置、４…音声出入力装置、５…入力装置、６…車輪速センサ、７…地磁気センサ、８…ジャイロ、９…ＧＰＳ受信機、１１…車内ＬＡＮ装置、１２…ＦＭ多重放送受信装置、１３…ビーコン受信装置、１４…ネットワーク通信装置、２１…ＣＰＵ、２２…ＲＡＭ、２３…ＲＯＭ、２４…ＤＭＡ、２５…描画コントローラ、２６…ＶＲＡＭ、２７…カラーパレット、２８…Ａ/Ｄ変換器、２９…ＳＣＩ、３０…ＰＩＯ、３１…カウンタ、４１…ユーザ操作解析部、４２…経路探索部、４３…経路記憶部、４４…経路誘導部、４５…表示処理部、４６…現在位置算出部、４７…通信処理部、４８…受信情報記憶部
【図１】
2006214853.tif 000003
【図２】
2006214853.tif 000004
【図３】
2006214853.tif 000005
【図４】
2006214853.tif 000006
【図５】
2006214853.tif 000007
【図６】
2006214853.tif 000008
【図７】
2006214853.tif 000009
【図８】
2006214853.tif 000010
【図９】
2006214853.tif 000011
【図１０】
2006214853.tif 000012
【図１１】
2006214853.tif 000013
【図１２】
2006214853.tif 000014
【図１３】
2006214853.tif 000015
【図１４】
2006214853.tif 000016
【図１５】
2006214853.tif 000017
【図１６】
2006214853.tif 000018
【図１７】
2006214853.tif 000019
【図１８】
2006214853.tif 000020
【図１９】
2006214853.tif 000021